(57)【特許請求の範囲】
【請求項１】
車両の消耗品の使用状態を示す車両情報を取得する車両情報取得部と、
前記車両情報取得部により取得された消耗品ごとの車両情報を記憶する記憶部と、
前記記憶部に記憶された消耗品ごとの車両情報に基づいて、消耗品の使用による変化量およびこの変化量で使用を継続した場合における消耗品の更新時期を算出する算出部と、
消耗品の前記変化量および前記更新時期を表示部に表示させる表示制御部とを備え、
前記算出部は、前記車両情報に基づく消耗品の使用状態に応じて消耗品ごとに前記更新時期の算出精度を変更する情報通知システム。
【請求項２】
消耗品の使用状態を予め定められた閾値と比較した結果に基づいて警告すべきか否かを判定する警告判定部を備え、
前記表示制御部は、前記警告判定部により警告すべきと判定された場合、消耗品の更新を促す警告情報を前記表示部に表示させることを特徴とする請求項１記載の情報通知システム。
【請求項３】
自車の位置から予め定められた範囲内に消耗品の販売施設があるか否かを判定する周辺情報判定部を備え、
前記表示制御部は、前記警告判定部により警告すべきと判定され、前記周辺情報判定部により自車の位置から予め定められた範囲内に消耗品の販売施設があると判定された場合に前記警告情報を前記表示部に表示させることを特徴とする請求項２記載の情報通知システム。
【請求項４】
携帯端末と通信を行う第１の通信部を備え、
前記表示制御部は、前記第１の通信部により消耗品の前記変化量および前記更新時期を前記携帯端末に送信して前記携帯端末に表示させることを特徴とする請求項１記載の情報通知システム。
【請求項５】
サーバ装置および車載器を備える情報通知システムであって、
前記車載器は、
前記サーバ装置と通信を行う第２の通信部と、
車両の消耗品の使用状態を示す車両情報を取得し、前記第２の通信部により消耗品ごとの車両情報を前記サーバ装置に送信する車両情報取得部と、
前記第２の通信部により前記サーバ装置から受信された消耗品ごとの車両情報に基づいて、消耗品の使用による変化量およびこの変化量で使用を継続した場合における消耗品の更新時期を算出して、前記第２の通信部により前記サーバ装置に送信する算出部と、
前記第２の通信部により前記サーバ装置から受信された消耗品の前記変化量および前記更新時期を表示部に表示させる表示制御部とを備え、
前記算出部は、前記車両情報に基づく消耗品の使用状態に応じて消耗品ごとに前記更新時期の算出精度を変更し、
前記サーバ装置は、
前記車載器を含む外部機器と通信を行う第３の通信部と、
前記第３の通信部により前記車載器から受信された、前記消耗品ごとの車両情報、前記変化量および前記更新時期を記憶する記憶部とを備え、
前記記憶部は、前記第３の通信部により前記外部機器から記憶内容の閲覧が可能であることを特徴とする情報通知システム。
【請求項６】
車両に搭載または持ち込まれた車載器であって、
車両の消耗品の使用状態を示す車両情報を取得する車両情報取得部と、
前記車両情報取得部により取得された消耗品ごとの車両情報を記憶する記憶部と、
前記記憶部に記憶された消耗品ごとの車両情報に基づいて、消耗品の使用による変化量およびこの変化量で使用を継続した場合における消耗品の更新時期を算出する算出部と、
消耗品の前記変化量および前記更新時期を表示部に表示させる表示制御部とを備え、
前記算出部は、前記車両情報に基づく消耗品の使用状態に応じて消耗品ごとに前記更新時期の算出精度を変更する車載器。
【請求項７】
車両情報取得部が、車両の消耗品の使用状態を示す車両情報を取得するステップと、
記憶部が、前記車両情報取得部により取得された消耗品ごとの車両情報を記憶するステップと、
算出部が、前記記憶部に記憶された消耗品ごとの車両情報に基づいて、消耗品の使用による変化量およびこの変化量で使用を継続した場合における消耗品の更新時期を算出するステップと、
表示制御部が、消耗品の前記変化量および前記更新時期を表示部に表示させるステップとを備え、
前記算出部は、前記車両情報に基づく消耗品の使用状態に応じて消耗品ごとに前記更新時期の算出精度を変更する情報通知方法。
【発明の詳細な説明】
【技術分野】
【０００１】
この発明は、車両の消耗品の状態を通知する情報通知システム、車載器および情報通知方法に関する。
【背景技術】
【０００２】
従来から、ウォッシャー液量やタイヤ内の空気圧などの車両の消耗品の残量が閾値以下になった場合に警告を発するシステムが提案されている。車両の乗員は、この警告により消耗品が減って更新（追加、交換）すべき状態であることを把握できる。
また、特許文献１には、車両の消耗品の残量が閾値以下になった場合に消耗品の購入が可能な店舗に車両を案内するシステムが開示されている。
【先行技術文献】
【特許文献】
【０００３】
【特許文献１】特開２００２−２７７２６２号公報
【発明の概要】
【発明が解決しようとする課題】
【０００４】
従来の技術では、消耗品の残量が閾値以下になった時点で警告されるので、ユーザは、消耗品を更新すべき更新時期を予め把握することができず、更新時期に合わせて消耗品を準備することができなかった。このため、警告に応じて消耗品を適切に更新することができない場合があった。例えば、スペアとなる消耗品がない場合や消耗品を購入する予算がないときに警告を受けても消耗品を直ちに更新することができない。
【０００５】
また、特許文献１に記載のシステムは、車両の消耗品の残量が閾値以下になった時点で案内サービスが開始される。従って、上記と同様に、ユーザが車両の消耗品の更新時期を予め把握することができず、更新時期に合わせて消耗品を準備することができない。
このため、例えば案内サービスが開始された時点で消耗品を購入する予算がない場合、消耗品を購入できず、更新することができない。
【０００６】
この発明は、上記のような課題を解決するためになされたもので、車両の消耗品の更新を的確に行うことができる情報通知システム、車載器および情報通知方法を得ることを目的とする。
【課題を解決するための手段】
【０００７】
この発明に係る情報通知システムは、車両の消耗品の使用状態を示す車両情報を取得する車両情報取得部と、車両情報取得部により取得された消耗品ごとの車両情報を記憶する記憶部と、記憶部に記憶された消耗品ごとの車両情報に基づいて、消耗品の使用による変化量およびこの変化量で使用を継続した場合における消耗品の更新時期を算出する算出部と、消耗品の変化量および更新時期を表示部に表示させる表示制御部とを備え、算出部は、車両情報に基づく消耗品の使用状態に応じて消耗品ごとに更新時期の算出精度を変更する。
【発明の効果】
【０００８】
この発明によれば、車両の消耗品の更新を的確に行うことができるという効果がある。
【図面の簡単な説明】
【０００９】
【図１】この発明の実施の形態１に係る車載器の構成を示すブロック図である。
【図２】実施の形態１における消耗品の使用量および残量の通知例を示す図である。
【図３】実施の形態１に係る情報通知方法を示すフローチャートである。
【図４】この発明の実施の形態２に係る情報通知システムの構成を示すブロック図である。
【図５】実施の形態２における消耗品の使用量および残量の通知例を示す図である。
【図６】この発明の実施の形態３に係る情報通知システムの構成を示すブロック図である。
【発明を実施するための形態】
【００１０】
実施の形態１．
図１は、この発明の実施の形態１に係る車載器の構成を示すブロック図である。図１において、車載器１は、車両内に搭載または持ち込まれて、車両の消耗品の使用状態を通知する。車両の消耗品としては、ウィンドウのウォッシャー液、タイヤ、エンジンオイル、ヘッドランプ、テールランプ、ワイパーなどが挙げられる。本発明により使用状態を通知する消耗品には、上記消耗品のうち、主要な消耗品（車両の運転に関係がある消耗品）を処理対象に初期設定してもよいが、ユーザが選択した消耗品を設定してもよい。
【００１１】
センサ群２は、各種消耗品の使用状態を検知する複数のセンサの集合である。例えば、ウォッシャー液の残量を検知するウォッシャー液量検知センサ、タイヤ内の気体圧を検知するタイヤ圧センサなどがあり、車両に標準的に搭載されているセンサを用いてもよい。
表示部３は、消耗品の使用状態、変化量および更新時期を表示する。例えば、車載器１が備える表示装置であってもよいが、車載器１に接続された外部機器の表示部であってもよい。入力部４は、表示部３の表示画面に基づいたユーザの入力操作を受け付ける入力部であり、例えば、タッチパネル、ハードウェアキーなどが挙げられる。
【００１２】
ナビゲーション装置５は、現在位置の測位機能を有しており、現在位置、目的地および地図データに基づいて目的地までの経路を探索し経路案内を行う。例えば、ＧＰＳ（Ｇｌｏｂａｌ  Ｐｏｓｉｔｉｏｎｉｎｇ  Ｓｙｓｔｅｍ）で測位を行うナビゲーション装置が挙げられる。なお、ナビゲーション装置５は、図１に示すように車載器１とは別の装置であってもよいが、車載器１を内蔵するなどして一体に構成されていてもよい。この場合、表示部３がナビゲーション装置５の表示部であってもよい。
【００１３】
車載器１は、その機能構成として車両情報取得部１０、算出部１１、記憶部１２、警告判定部１３、表示制御部１４および周辺情報判定部１５を備える。
車両情報取得部１０は、センサ群２に検知された各種消耗品の使用状態の検知情報を、消耗品の使用状態（現在の残量、使用時間、使用回数）を示す車両情報として取得する。
車両情報取得部１０により取得された消耗品ごとの車両情報は、記憶部１２に逐次記憶される。
【００１４】
算出部１１は、記憶部１２に記憶された消耗品ごとの車両情報に基づいて、消耗品の使用による変化量（以下、使用量と記載する）およびこの使用量で使用を継続した場合における消耗品の更新時期（追加、交換の時期）を算出する。
例えば、車両を利用している間（エンジンをかけて止めるまでの間）、消耗品の現在の残量、使用時間および使用回数に基づいて、消耗品の使用による前回の残量からの使用量を単位時間当たりの使用量として算出する。また、消耗品が使用される度に算出した使用量を予め定められた期間分（１ヶ月分など）だけ積算し、これを上記期間内での使用回数（または使用日数）で除算した平均値を、単位時間当たりの使用量としてもよい。
そして、この単位時間当たりの使用量と消耗品の現在の残量に基づいて、この単位時間当たりの使用量で使用が継続された場合における消耗品の残量が予め定めた許容量以下となる時期を算出する。この時期が消耗品の更新時期となる。
【００１５】
なお、算出部１１は、消耗品の残量と上記閾値との差分値に応じて更新時期の算出精度を変更してもよい。例えば、上記差分値が予め定めた下限値未満になった場合、単位時間を時分に設定し、この単位時間当たりの使用量を用いて更新時期を時分で算出する。
一方、上記差分値が予め定めた上限値以上である場合は、消耗品が上記閾値以下になるまで時間があるので、単位時間を日数に設定して、この単位時間当たりの使用量を用いて更新時期を月日で算出する。これにより消耗品の残量が上記閾値に近づくにつれて正確な更新時期を通知することができる。
【００１６】
警告判定部１３は、消耗品の使用状態（現在の残量）を予め定められた閾値と比較した結果に基づいて警告すべきか否かを判定する。警告判定部１３により警告すべきと判定されると、表示制御部１４は、消耗品の更新を促す警告情報を表示部３に表示させる。
判定の閾値は、ユーザが入力部４を用いて消耗品ごとに設定してもよいが、警告判定部１３が自動で設定してもよい。例えば、消耗品の使用傾向（変化傾向）または使用時期（季節など）に応じて判定の閾値を初期値から高低させる。消耗品の使用量が増加傾向にあれば、判定の閾値を初期値よりも高くし、消耗品の使用量が減少傾向にある場合には、判定の閾値を初期値よりも低くする。これにより消耗品の残量に応じたタイミングで適切に消耗品の更新を促すことができる。
【００１７】
表示制御部１４は表示部３を制御する制御部である。特に、表示制御部１４は、消耗品の使用状態（現在の残量）、使用量および更新時期を表示部３に表示させる。
周辺情報判定部１５は、警告判定部１３によって警告すべきと判定された消耗品がある場合に、ナビゲーション装置５から入力した自車位置周辺の地図情報に基づいて、自車の位置から予め定められた範囲内に上記消耗品の販売施設（カー用品店やホームセンター）があるか否かを判定する。なお、予め定められた範囲は、自車位置からの近さを規定する範囲であり、例えば自車位置から施設までの距離や自車位置から施設までの走行時間などで定義される。表示制御部１４は、周辺情報判定部１５によって自車の位置から予め定められた範囲内に消耗品の販売施設があると判定された場合に、この消耗品についての警告情報を表示部３に表示させる。
このように更新時期を通知してから自車が消耗品の販売施設の近くを走行したタイミングで警告を行うことにより、適切に消耗品の更新を促すことができる。
【００１８】
なお、車両情報取得部１０、算出部１１、警告判定部１３、表示制御部１４および周辺情報判定部１５は、例えば、実施の形態１に特有な処理が記述されたプログラムをマイクロコンピュータが実行することにより、ハードウェアとソフトウェアとが協働した具体的な手段として実現することができる。
また、記憶部１２には、車載器１が備えるハードディスク装置や、ＳＤカード、ＵＳＢメモリなどが用いられる。
【００１９】
図１の例では、車載器１が、車両情報取得部１０、算出部１１、記憶部１２、警告判定部１３、表示制御部１４および周辺情報判定部１５を備える場合を示したが、これに限定されるものではない。例えば、消耗品の使用量および更新時期を算出して表示部３に表示する構成があればよいので、図１に示した構成から警告判定部１３および周辺情報判定部１５を省略してもよい。
【００２０】
図２は、実施の形態１における消耗品の使用量および残量の通知例を示す図であって、ナビゲーション装置５の表示部を表示部３として使用した場合を示している。図２（ａ）は、消耗品（ウォッシャー液）の使用量・残量表示の一例を示しており、図２（ｂ）は、消耗品（ウォッシャー液）の過去の使用履歴の一例を示している。
表示制御部１４は、消耗品に関する情報を消耗品のタブごとに分類する。図２に示す例では、ウォッシャー液のタブ３−１、タイヤ空気圧のタブ３−２、エンジンオイルのタブ３−３、その他の消耗品のタブ３−４がある。それぞれのタブでは、対応する消耗品の“使用量・残量表示”、“過去の使用履歴”、“閾値設定”、“表示設定”に関する画面が表示可能である。
【００２１】
上述した表示情報のうち“使用量・残量表示”が、本発明に特有な表示情報である。
ウォッシャー液を例に挙げて説明する。図２（ａ）に示すように“使用量・残量表示”の画面は、ウォッシャー液の使用量欄３Ａ−１、残量欄３Ａ−２、残量バー３Ａ−３、“過去の使用履歴”ボタン３Ａ−６、“閾値設定”ボタン３Ａ−７および“表示設定”ボタン３Ａ−８から構成される。
使用量欄３Ａ−１には前日までのウォッシャー液の１日当たりの使用量（ｍｌ）が表示される。残量欄３Ａ−２には、使用量欄３Ａ−１に示した使用量でウォッシャー液の使用を継続した場合にウォッシャー液がなくなる日数（“あと△△日でなくなります”）と、ウォッシャー液を追加すべき更新時期（“×月□日までに追加してください”）とが表示される。
【００２２】
なお、更新時期は、ウォッシャー液がなくなる日時であってもよいが、不測の理由から更新時期までに更新できない場合も考えられるので、ある程度（２，３回）の使用が可能な液量になる予想日時を更新時期として算出してもよい。
このように、本発明では、消耗品の１日当たりの使用量と消耗品を更新すべき更新時期が表示されるので、ユーザは消耗品の更新時期を把握でき、この更新時期に合わせて消耗品を準備することができる。これにより消耗品の更新を的確に行うことが可能である。
【００２３】
残量バー３Ａ−３は、図２（ａ）に示すように、満載量（１００％）に対するウォッシャー液の現在の液量３Ａ−４をバー形式で表示している。また、残量バー３Ａ−３には、閾値３Ａ−５も同様な形式で表示される。例えば、ウォッシャー液の現在の液量３Ａ−４が閾値３Ａ−５以下になると、警告判定部１３は、ユーザにウォッシャー液の追加を警告すべき液量になったと判定する。また、閾値３Ａ−５以下のバー部分の色を、これよりも高いバー部分とは異なる色で表示することで、閾値３Ａ−５が視認しやすくなる。
このように、残量バー３Ａ−３には、ウォッシャー液のリアルタイムな液量（消耗品の使用状態）と警告判定時の閾値が表示されるので、ユーザは、消耗品の現在の使用状態を容易に把握することができる。
【００２４】
入力部４を用いて“過去の使用履歴”ボタン３Ａ−６を押下操作すると、図２（ｂ）に示す画面に遷移する。ウォッシャー液の使用履歴３Ａ−１０には、車両が利用された日付と、その前日までのウォッシャー液の残量と、その日のウォッシャー液の使用量（ｌ）とが含まれる。また、ウォッシャー液の残量として、その液量（ｌ）と満載量（１００％）に対する残量の割合（％）が示される。
【００２５】
車両情報取得部１０は、車両が利用されている間（エンジンをかけて止めるまでの間）において、定期的もしくはウォッシャー液の使用時にセンサ群２のウォッシャー液量検知センサからウォッシャー液の残量の検知情報を取得して記憶部１２に記憶する。
算出部１１は、記憶部１２に記憶される前日までのウォッシャー液の残量を読み出し、これと車両情報取得部１０により取得されたウォッシャー液の現在の残量との差分をとることにより、ウォッシャー液の使用による使用量を算出して記憶部１２に記憶する。
上述した処理は、その日の車両の利用が完了するまで繰り返し実行される。これによりウォッシャー液の使用履歴３Ａ−１０が形成される。
【００２６】
また、図２（ｂ）において、符号ａを付した使用履歴情報は、ウォッシャー液の現在の液量３Ａ−４が閾値３Ａ−５以下になった場合を示している。この場合、使用履歴情報の表示欄を他の表示欄とは異なる色で表示することにより、警告すべき液量まで減っていることを視認しやすくしている。
入力部４を用いて“使用量・残量表示”ボタン３Ａ−９を押下操作すると、図２（ｂ）の画面から図２（ａ）の画面に戻る。ただし、図２（ａ）および図２（ｂ）は表示の一例であり、図２（ａ）の画面と図２（ｂ）の画面とは別の時系列の場合を示している。
このため、図２（ａ）ではウォッシャー液の現在の液量３Ａ−４が閾値３Ａ−５以下になっていないが、図２（ｂ）では、ウォッシャー液の現在の液量３Ａ−４が閾値３Ａ−５以下になった使用履歴が表示されている。
【００２７】
入力部４を用いて“閾値設定”ボタン３Ａ−７を押下操作すると、閾値３Ａ−５の設定画面に遷移する。例えば、警告判定部１３が、表示制御部１４に指示して閾値３Ａ−５の設定画面を表示部３に表示させる。閾値３Ａ−５の設定画面は、ユーザが閾値（満載量に対する割合など）を直接入力する形式であってもよいが、警告判定部１３が予め設定した複数の閾値候補の中からユーザが閾値を選択する形式であってもよい。なお、この場合、消耗品の使用傾向（変化傾向）または使用時期（季節など）に応じて閾値候補を変更してもよい。これにより実際の使用状況に合った閾値を設定することが可能となる。
【００２８】
また、入力部４を用いて“表示設定”ボタン３Ａ−８を押下操作すると、表示設定画面に遷移する。表示設定画面では、消耗品ごとのタブにおける表示項目、レイアウト、警告を行う場所などを設定することができる。例えば、表示制御部１４が、入力部４を用いて入力された設定情報に応じて画面データを変更する。図２（ａ）に示したバー形式の表示を他のグラフ形式に変更することや、図２（ｂ）に示した使用履歴をグラフ形式で表示することが考えられる。警告を行う場所とは、例えば周辺情報判定部１５により判定される消耗品の販売施設である。
【００２９】
次に動作について説明する。
図３は、実施の形態１に係る情報通知方法を示すフローチャートであり、車両の消耗品の使用量と残量を表示して通知する処理を示している。なお、図３の処理の前提として、車両情報取得部１０が、車両が利用されている間、定期的もしくは消耗品の使用時にセンサ群２から消耗品の使用状態（現在の残量、使用時間、使用回数）の検知情報を取得して記憶部１２に記憶している。
【００３０】
算出部１１は、記憶部１２に記憶されている消耗品ごとの車両情報に基づいて、消耗品の使用による使用量を算出し、この使用量で使用を継続した場合における消耗品の更新時期（追加、交換の時期）を算出する（ステップＳＴ２）。
例えば、図２（ａ）に示した使用量（１日当たりの使用量）は、記憶部１２から読み出した１ヶ月分の使用量を使用日数（消耗品を使用した日数）で除算して得られる。
また、この１日当たりの消耗品の使用量と消耗品の現在の残量に基づいて、この使用量で使用が継続された場合に消耗品の残量が予め定められた閾値以下となる時期を更新時期として算出する。
【００３１】
次に、車両情報取得部１０は、センサ群２から消耗品の現在の残量を取得して警告判定部１３に出力する（ステップＳＴ３）。
警告判定部１３は、車両情報取得部１０によって取得された消耗品の現在の残量と予め定められた閾値との差分が０以下であるか否か、すなわち消耗品の現在の残量が上記閾値以下であるか否かを確認する（ステップＳＴ４）。
【００３２】
消耗品の現在の残量が上記閾値よりも大きい場合（ステップＳＴ４；ＮＯ）、警告判定部１３は、消耗品の現在の残量では警告の必要がないと判断して、これを表示制御部１４に通知する。表示制御部１４は、上記通知を受けると、表示部３に指示して消耗品の使用量および残量（更新時期）を表示する（ステップＳＴ５）。
【００３３】
一方、消耗品の現在の残量が上記閾値以下であった場合（ステップＳＴ４；ＹＥＳ）、警告判定部１３は、消耗品の現在の残量では警告が必要であると判断し、これを表示制御部１４に通知する。表示制御部１４は、上記通知を受けると、表示部３に指示して消耗品の使用量、残量（更新時期）および警告情報を表示する（ステップＳＴ６）。
なお、警告情報とは、現在の残量が上記閾値以下となった消耗品の更新を促す情報である。例えば、“○○（消耗品）を追加してください”といった警告文をテキスト表示してもよく、消耗品を示すアイコンなどを用いて画像表示により警告してもよい。
【００３４】
また、消耗品の現在の残量が上記閾値以下になったときに警告を行う場合を示したが、現在の残量と上記閾値との差分値が予め定められた範囲内になったときに、消耗品の使用傾向（変化傾向）に応じて警告の強度を変更してもよい。例えば、消耗品の変化量が一定量を超えた場合に警告の強度を強くする。なお、警告の強度とは、警告の強調度合いであり、警告文やアイコンのサイズや色、色パターンなどを強調表示に変更することが考えられる。
【００３５】
以上のように、この実施の形態１によれば、車両情報取得部１０が車両の消耗品の使用状態を示す車両情報を取得し、記憶部１２が消耗品ごとの車両情報を記憶する。算出部１１は、記憶部１２に記憶された消耗品ごとの車両情報に基づいて、消耗品の使用による使用量およびこの使用量で使用を継続した場合における消耗品の更新時期を算出する。表示制御部１４は、消耗品の使用量および更新時期を表示部３に表示させる。
このように消耗品の使用量および消耗品を更新すべき更新時期が表示部３に表示されるので、ユーザは消耗品の更新時期を把握でき、この更新時期に合わせて消耗品を準備することができる。これにより車両の消耗品の更新を的確に行うことができる。
【００３６】
また、この実施の形態１によれば、消耗品の使用状態を予め定められた閾値と比較した結果に基づいて警告すべきか否かを判定する警告判定部１３を備え、表示制御部１４は、警告判定部１３により警告すべきと判定された場合、消耗品の更新を促す警告情報を表示部３に表示させる。このようにすることにより、ユーザに消耗品の更新を促す警告を的確に行うことができる。
【００３７】
さらに、この実施の形態１によれば、自車の位置から予め定められた範囲内に消耗品の販売施設があるか否かを判定する周辺情報判定部１５を備え、表示制御部１４は、警告判定部１３により警告すべきと判定され、周辺情報判定部１５により自車の位置から予め定められた範囲内に消耗品の販売施設があると判定された場合に警告情報を表示部３に表示させる。このように更新時期を通知してから、自車が消耗品の販売施設の近くを走行したタイミングで警告を行うことにより、適切に消耗品の更新を促すことができる。
【００３８】
実施の形態２．
図４は、この発明の実施の形態２に係る情報通知システムの構成を示すブロック図である。図４に示す車載器１Ａは、実施の形態１で示した構成に通信部１６を追加している。
通信部１６は、携帯端末６と通信を行う第１の通信部である。車載器１Ａの表示制御部１４は、通信部１６によって消耗品の使用量（使用による変化量）および更新時期を携帯端末６に送信して携帯端末６に表示させる。携帯端末６は、車載器１Ａと通信する機能と情報を表示する表示部を備えた端末であり、例えば、スマートフォン、携帯電話、タブレットＰＣなどが挙げられる。
【００３９】
図５は、実施の形態２における消耗品の使用量および残量の通知例を示す図であって、携帯端末６に消耗品の使用量および残量を表示した場合を示している。図５（ａ）は、消耗品（ウォッシャー液）の使用量・残量表示の一例を示しており、図５（ｂ）は、消耗品（ウォッシャー液）の過去の使用履歴の一例を示している。
表示制御部１４は、実施の形態１と同様に、消耗品に関する情報を消耗品のタブごとに分類する。図５に示す例では、ウォッシャー液のタブ６−１、タイヤ空気圧のタブ６−２、エンジンオイルのタブ６−３、ヘッドランプのタブ６−４、テールランプのタブ６−５、ワイパーのタブ６−６がある。それぞれのタブでは、対応する消耗品についての“使用量・残量表示”、“過去の使用履歴”、“閾値設定”、“表示設定”に関する画面が表示可能である。
【００４０】
図５（ａ）の左図に示す“使用量・残量表示”の画面６Ａおいてウォッシャー液のタブ６−１を押下操作すると、図５（ａ）の右図に示すウォッシャー液についての“使用量・残量表示”の画面が携帯端末６に表示される。ウォッシャー液についての“使用量・残量表示”の画面は、ウォッシャー液の使用量欄６Ａ−１、残量欄６Ａ−２、残量バー６Ａ−３、“過去の使用履歴”ボタン６Ａ−６、“閾値設定”ボタン６Ａ−７および“表示設定”ボタン６Ａ−８から構成される。これらの機能は、実施の形態１と同様である。
【００４１】
“過去の使用履歴”ボタン６Ａ−６を押下操作する、もしくは、図５（ｂ）の左図に示す“過去の使用履歴”の画面６Ｂおいてウォッシャー液のタブ６−１を押下操作すると、図５（ｂ）の右図に示すウォッシャー液についての“過去の使用履歴”の画面に遷移する。ウォッシャー液の使用履歴６Ａ−９には、実施の形態１と同様に、車両が利用された日付と、その前日までのウォッシャー液の残量と、その日のウォッシャー液の使用量（ｌ）とが含まれる。また、ウォッシャー液の残量として、その液量（ｌ）と満載量（１００％）に対する残量の割合（％）が示される。
【００４２】
また、図５（ｂ）の右図において、符号ａを付した使用履歴情報は、ウォッシャー液の現在の液量６Ａ−４が閾値６Ａ−５以下になった場合を示している。この場合、使用履歴情報の表示欄を他の表示欄とは異なる色で表示することにより、警告すべき液量まで減っていることを視認しやすくしている。
【００４３】
以上のように、この実施の形態２によれば、車載器１Ａは、携帯端末６と通信を行う通信部１６を備えており、車載器１Ａの表示制御部１４は、通信部１６により消耗品の使用量および更新時期を携帯端末６に送信して携帯端末６に表示させる。
このようにすることで、ユーザは、携帯端末６の表示内容から消耗品の更新時期を把握でき、この更新時期に合わせて消耗品を準備することができる。これにより車両の消耗品の更新を的確に行うことができる。例えば、車両から離れたユーザが、携帯端末６に表示された消耗品の“使用量・残量表示”を確認しながら消耗品を購入することができる。
【００４４】
実施の形態３．
図６は、この発明の実施の形態３に係る情報通知システムの構成を示すブロック図である。図６に示す情報通知システムは、実施の形態１，２と同様に車両の消耗品の使用状態を通知するシステムであり、車載器１Ｂおよびサーバ装置７から構成される。
また、車載器１Ｂは、実施の形態１で示した記憶部１２の代わりに通信部１６Ａを備える。通信部１６Ａは、サーバ装置７および携帯端末６と通信を行う第２の通信部である。
【００４５】
サーバ装置７は、通信ネットワークに接続されており、記憶部７０および通信部７１を備える。記憶部７０は、通信部７１によって車載器１Ｂから受信された消耗品ごとの車両情報、使用量および更新時期を記憶する記憶部である。通信部７１は、車載器１Ｂを含む外部機器と通信を行う第３の通信部である。外部機器としては車載器１Ｂ、携帯端末６、外部通信装置８が挙げられる。また外部通信装置８は、自宅のＰＣなどの車両の乗員以外のユーザが使用可能な装置であり、少なくともサーバ装置７と通信する機能と記憶部７０の記憶内容を表示する表示部を有する。
【００４６】
車載器１Ｂにおいて、車両情報取得部１０は、センサ群２から車両の消耗品の使用状態（現在の残量、使用時間、使用回数）を示す車両情報を取得し、通信部１６Ａにより消耗品ごとの車両情報をサーバ装置７に送信する。
また、算出部１１は、通信部１６Ａによってサーバ装置７から受信された消耗品ごとの車両情報に基づいて、消耗品の使用量およびこの使用量で使用を継続した場合における消耗品の更新時期を算出し、通信部１６Ａによってサーバ装置７に返信する。なお、使用量および更新時期の算出方法は、実施の形態１と同様である。
表示制御部１４は、通信部１６Ａによってサーバ装置７から受信された消耗品の使用量および更新時期を表示部３に表示させる。
【００４７】
サーバ装置７において、記憶部７０は、通信部７１によって車載器１Ｂから受信された消耗品ごとの車両情報、消耗品の使用状態、使用量および更新時期を記憶する。
通信部７１は、外部機器（車載器１Ｂ、携帯端末６、外部通信装置８）からのアクセス要求を受信すると、本システムのサービスに登録された外部機器であるか否かの認証処理を行う。ここで、外部機器が認証されると、通信部７１は、外部機器による記憶部７０の記憶内容の閲覧を許可する。これにより、外部機器は、記憶部７０にアクセスして、消耗品ごとの車両情報、消耗品の使用状態、使用量および更新時期の閲覧が可能となる。
【００４８】
以上のように、この実施の形態３によれば、サーバ装置７が、外部機器と通信を行う通信部７１と、通信部７１により車載器１Ｂから受信された消耗品ごとの車両情報、消耗品の使用状態、使用量および更新時期を記憶する記憶部７０とを備え、記憶部７０は、通信部７１により外部機器から記憶内容の閲覧が可能である。
このように構成することで、ユーザは、外部機器（車載器１Ｂ、携帯端末６、外部通信装置８）の表示内容から消耗品の更新時期を把握でき、この更新時期に合わせて消耗品を準備することができる。これにより車両の消耗品の更新を的確に行うことができる。
例えば、自宅で外部通信装置８を介して消耗品の更新時期を把握したユーザが、車両の乗員に代わって、自車の消耗品の“使用量・残量表示”を確認し、必要に応じて消耗品を購入することができる。
【００４９】
なお、本発明はその発明の範囲内において、各実施の形態の自由な組み合わせ、あるいは各実施の形態の任意の構成要素の変形、もしくは各実施の形態において任意の構成要素の省略が可能である。
【符号の説明】
【００５０】
１，１Ａ，１Ｂ  車載器、２  センサ群、３  表示部、３−１〜３−４，６−１〜６−６  タブ、３Ａ−１，６Ａ−１  使用量欄、３Ａ−２，６Ａ−２  残量欄、３Ａ−３，６Ａ−３  残量バー、３Ａ−４，６Ａ−４  現在の液量、３Ａ−５，６Ａ−５  閾値、３Ａ−６，６Ａ−６  “過去の使用履歴”ボタン、３Ａ−７，６Ａ−７  “閾値設定”ボタン、３Ａ−８，６Ａ−８  “表示設定”ボタン、３Ａ−９  “使用量・残量表示”ボタン、３Ａ−１０，６Ａ−９  使用履歴、４  入力部、５  ナビゲーション装置、６  携帯端末、７  サーバ装置、８  外部通信装置、１０  車両情報取得部、１１  算出部、１２，７０  記憶部、１３  警告判定部、１４  表示制御部、１５  周辺情報判定部、１６，１６Ａ  通信部。
【図１】
0006305237.tif 000002
【図２】
0006305237.tif 000003
【図３】
0006305237.tif 000004
【図４】
0006305237.tif 000005
【図５】
0006305237.tif 000006
【図６】
0006305237.tif 000007